(57)【要約】【課題】耐環境性、作業性、生産性、安全性、エネルギー効率を高めることのできる構造の操作盤を提供する。【解決手段】操作機器を内蔵した操作盤本体１と、操作盤本体１の操作面に開閉自在に取り付けられる扉４とを備えた操作盤において、扉４を閉めた状態の操作盤本体１と扉４の全体の形状を卵形等の、少なくとも上部と下部が、外に向かって凸な曲面で形成されている形状とした。これにより、風や降雨などが操作盤本体に接触するときに、風力を分散したり、水滴を天井に滞留させないことで、耐環境性を向上できる。また、外形に角がないため、人体が不用意に当たったときに怪我等がなく安全であり、また耐腐食性が向上する。さらに、操作盤本体と扉とは、一度のプレスで半卵形に成形できるため、大量生産が可能となる。操作盤本体１と扉４の上部表面に太陽光発電パネル９を設けることにより、太陽の方向に左右されることなく効率的な発電を行うことができる。【選択図】          図１
2004180372.tif 000002
【特許請求の範囲】
【請求項１】
操作機器を内蔵した操作盤本体と、この操作盤本体の操作面に開閉自在に取り付けられる扉とを備えた操作盤において、
前記扉を閉めた状態の操作盤本体と扉の全体を、少なくとも上部と下部が、外に向かって凸な曲面で形成されている形状としたことを特徴とする操作盤。
【請求項２】
前記操作盤本体と前記扉の上部表面に太陽光発電パネルを設けたことを特徴とする請求項１記載の操作盤。
【発明の詳細な説明】
【０００１】
【発明の属する技術分野】
本発明は、屋外等の悪環境下の現場に設置され、機械などの制御対象設備を有する工場プラント等の操作を行う操作盤に関する。
【０００２】
【従来の技術】
かかる現場に設置される従来の操作盤の一例を図８および図９に示す。図８は扉を閉めた状態、図９は扉を開けた状態を示している。
図８および図９において、操作盤３０は、操作盤本体３１と、操作盤本体３１と床面との間を固定させる架台３２と、操作盤本体３１を高い位置に保つために設けられる支柱３３とからなっている。操作盤本体３１の前面には扉３４が設けられ、ハンドル３５と操作盤により運転される機械類の動作状態を表示する表示ランプ３６が設置されている。操作盤本体３１には、スイッチやメータ類が配置された操作面３７があり、その周囲には、扉３４を閉めたときの密閉性を保つためのパッキン３８が設けられている。なお、３９は盤内底面、４０は天井、４１は角を示している。
同様な構成の屋外設置型の操作盤としては、特開平８−６５８２６号公報（特許文献１）に記載されたものがある。
【０００３】
【特許文献１】
特開平８−６５８２６号公報
【０００４】
【発明が解決しようとする課題】
ところがこのような従来の操作盤は、直方体の箱形構造であるために、図１０に示すように横風にさらされた時に架台３２と支柱３３の接合部４２に横向きの力が集中して加わったり、図１１に示すように雨が降った時にパッキン３８が腐食した状態で天井４０に水Ｗが滞留したりすると、操作盤本体３１の内部に水が浸入し易くなり、漏電や短絡の危険性がある。
また、図１２に示すように扉３４を開状態として作業をする場合、盤内底面３９に工具等を置いてしまい、そのまま置き忘れてしまうということも頻繁に発生している。
【０００５】
さらに、図１３に示すように製造時において、箱形の操作盤本体３１または扉３４の素材となる薄板鋼板を折り曲げて、箱状の操作盤本体３１または扉３４に仕上げるのであるが、角４１の部分を溶接するという工程が発生する。
あるいは角４１があることでこの部分から錆びが発生し易くなり、構造的に問題がある。
安全面においても、角４１があるということは、人が衝突などをしたときに、怪我をしやすいという要素を含んでいる。
そこで本発明は、耐環境性、作業性、生産性、安全性、エネルギー効率を高めることのできる構造の操作盤を提供することを目的とする。
【０００６】
【課題を解決するための手段】
請求項１に係る発明は、操作機器を内蔵した操作盤本体と、この操作盤本体の操作面に開閉自在に取り付けられる扉とを備えた操作盤において、前記扉を閉めた状態の操作盤本体と扉の全体を、少なくとも上部と下部が、外に向かって凸な曲面で形成されている形状としたことを特徴とする。
この発明においては、従来の箱型の外観構造をした操作盤を、少なくとも上部と下部が、外に向かって凸な曲面で形成されている形状にすることで、耐環境性、作業性、生産性、耐腐食性、安全性という多くの課題を解決することが可能となる。この、少なくとも上部と下部が、外に向かって凸な曲面で形成されている形状というのは、球形、卵形、回転楕円体、ラグビーボール形等の形状をいう。
また、請求項２に係る発明は、前記操作盤本体と前記扉の上部表面に太陽光発電パネルを設けたものである。
この発明においては、操作盤上面に設ける太陽光発電パネルは、曲面という特性から、季節や時刻などという太陽の方角に関係無く、常に発電パネルの一部を太陽と垂直に保つことができる。
【０００７】
【発明の実施の形態】
以下、本発明の実施の形態を図に基づいて説明する。
図１は、本発明の実施の形態に係る操作盤の外観を示す図であり、図２は扉を開いて作業者が操作面を扱うときの内部を示した図である。
図１および図２において、操作盤１０は、操作盤本体１と、操作盤本体１と床面との間を固定させる架台２と、操作盤本体１を高い位置に保つために設けられる支柱３とからなっている。操作盤本体１の前面には扉４が設けられ、ハンドル５と操作盤により運転される機械類の動作状態を表示する表示ランプ６が設置されている。操作盤本体１には、スイッチやメータ類が配置された操作面７があり、その周囲には、扉４を閉めたときの密閉性を保つためのパッキン８が設けられている。そして、操作盤１０の上部には、太陽光発電パネル９が設けられている。本実施の形態では、扉４を閉めたときの操作盤本体１と扉４とで、卵形（球形、回転楕円体、あるいはラグビーボール形等の、上部と下部が、外に向かって凸な曲面で形成されている形状であれば他の形状でもよい。）の形状をしていることが特徴である。
【０００８】
次に、各場面毎に解説した図に従って本発明の特徴を説明する。
図３は本実施の形態の操作盤１０に風が横方向から吹き付けて来た状態を示している。この場合、卵形の構造をした操作盤本体１および扉４で風を周囲方向に分散し、結果的に架台２と支柱３の接合部１１に集まる力のモーメントを小さくでき、支柱３の太さや架台２との取り付け強度を小さく設計できる。
【０００９】
図４は本実施の形態の操作盤１０が雨にさらされた状態を示している。この場合、操作盤本体１および扉４の卵形の構造から、水はどこにも滞留することなく、水滴となって盤の表面を重力に任せて自然落下する。
【００１０】
図５は本実施の形態の操作盤１０が作業時に扉４を開状態として作業を行う状態を示している。この場合、卵型の構造をしていることから盤内底面というものが存在していないために、作業者の工具の置き忘れ等が発生しない。
【００１１】
図６は本実施の形態の操作盤１０の製造工程を示している。製造時においては、操作盤本体１または扉４の素材となる薄板鋼板１’（または４’）を内面用プレス金型１２と表面用プレス金型１３でプレス成形するのみで、卵型の操作盤本体１の筐体または扉４をわずか１工程で製作することができる。
また、角を有しないことから、部分的に錆びが発生し難く、人間が衝突した場合でも怪我をする可能性が低くなる。
【００１２】
図７は本実施の形態の操作盤１０の太陽光発電機能を説明するための図である。同図に示すように、屋外で太陽の日差しを受ける場合、盤上面に貼り付けられた太陽光発電パネル９が、季節や時刻の変化に左右されることなく、常に太陽と垂直の面を持っているため、効率的に自家発電を行うことができる。蓄電池などと併用すれば、盤内部の照明用電源や、夜間に表示パネル６を点灯させて自身の存在場所を示すための照明用電源としても使用できる。また、停電時などにも、自己電源を確保できる。
【００１３】
【発明の効果】
以上述べたように、本発明によれば、操作機器を内蔵した操作盤本体と、この操作盤本体の操作面に開閉自在に取り付けられる扉とを備えた操作盤において、扉を閉めた状態の操作盤本体と扉の全体を、少なくとも上部と下部が、外に向かって凸な曲面で形成されている形状としたことにより、下記の効果を奏する。
（１）風や降雨などが操作盤本体に接触するときに、風力を分散したり、水滴を天井に滞留させないことで、耐環境性を向上させることができる。
（２）表扉を開状態としたときに、操作盤本体には工具等を静置できる箇所がないため、盤内底面が工具置き場となることがなく、工具の置き忘れが解消される。
（３）操作盤本体と扉とは、一度のプレスで半卵形に成形できるため、箱形の場合のような折り曲げ部の溶接等の作業場不要となり、大量生産が可能となる。
（４）外形に角がないため、耐腐食性が向上する。
（５）外形に角がないため、人体が不用意に当たったときに怪我等がなく安全である。
以上のことから、従来の箱型の外観構造を持つ操作盤に比較し、耐環境性、作業性、生産性、耐腐食性、安全性を向上させることができる。また、視覚的にも柔らかなイメージを与えることができる。
さらに、操作盤本体と扉の上部表面に太陽光発電パネルを設けることにより、太陽の方向に左右されることなく効率的な発電を行うことができ、蓄電池と組合せることにより操作盤自体の照明用電源や停電時の自己電源等に使用することができる。
【図面の簡単な説明】
【図１】本発明の実施の形態に係る操作盤の外観構造を示す斜視図である。
【図２】本発明の実施の形態に係る操作盤の扉開時の構造を示す斜視図である。
【図３】本発明の実施の形態に係る操作盤が横風を受けた時の状態を示す側面図である。
【図４】本発明の実施の形態に係る操作盤が降雨にさらされた時の状態を示す斜視図である。
【図５】本発明の実施の形態に係る操作盤の内部構造を示す斜視図である。
【図６】本発明の実施の形態に係る操作盤本体を製造する手順を示す説明図である。
【図７】本発明の実施の形態に係る操作盤で太陽光発電を行うときの状態を示す斜視図である。
【図８】従来方式の箱形操作盤の外観構造を示す斜視図である。
【図９】従来方式の箱形操作盤の扉開時の構造を示す斜視図である。
【図１０】従来方式の箱形操作盤が横風を受けた時の状態図を示す側面図である。
【図１１】従来方式の箱形操作盤が降雨にさらされた時の状態を示す斜視図である。
【図１２】従来方式の箱形操作盤の内部構造を示す斜視図である。
【図１３】従来方式の箱形操作盤本体を製造する手順を示す説明図である。
【符号の説明】
１  操作盤本体
２  架台
３  支柱
４  扉
５  ハンドル
６  表示ランプ
７  操作面
８  パッキン
９  太陽光発電パネル
１０  操作盤
１１  接合部
１２  内面用プレス金型
１３  表面用プレス金型
【図１】
2004180372.tif 000003
【図２】
2004180372.tif 000004
【図３】
2004180372.tif 000005
【図４】
2004180372.tif 000006
【図５】
2004180372.tif 000007
【図６】
2004180372.tif 000008
【図７】
2004180372.tif 000009
【図８】
2004180372.tif 000010
【図９】
2004180372.tif 000011
【図１０】
2004180372.tif 000012
【図１１】
2004180372.tif 000013
【図１２】
2004180372.tif 000014
【図１３】
2004180372.tif 000015